(57)【要約】【課題】部品点数が少なく組立てが容易であって、また、操作部材が確実に保持されて耐久性、信頼性が十分に確保され、さらに、電子機器の電子回路に対する静電気の流入を防止できる回動式電子部品を提供する。【解決手段】固定基台１と、一端側に導電性の摺動子３を有し他端側に一体的に形成された軸部４を有し固定基台１により軸部４回りに回動可能に支持された回動部材２と、軸部４の外周側に配置され回動部材２の回転角度位置を中立位置に保持する復帰バネ５と、回動部材２の一端側に配置され摺動子３に接触する回路パターンを有する回路基板６と、回動部材２の一端側に配置され回路基板６を摺動子３側に押圧して回路パターンを摺動子３に押接させる押さえ部材７と、軸部４及び押さえ部材７により支持され軸部４回りに回動操作されることにより軸部４を介して摺動子２を回動させる操作部材８とを備える。【選択図】図１
2007194439.tif 000002
【特許請求の範囲】
【請求項１】
固定基台と、
一端側に導電性の摺動子を有し、他端側に一体的に形成された軸部を有し、前記固定基台により、前記軸部回りに回動可能に支持された回動部材と、
前記軸部の外周側に配置され、前記回動部材の回転角度位置を中立位置に保持する復帰バネと、
前記回動部材の一端側に配置され、前記摺動子に接触する回路パターンを有する回路基板と、
前記回動部材の一端側に配置され、前記回路基板を前記摺動子側に押圧して、前記回路パターンを前記摺動子に押接させる押さえ部材と、
前記軸部及び前記押さえ部材により支持され、前記軸部回りに回動操作されることにより、該軸部を介して前記摺動子を回動させる操作部材と
を備えたことを特徴とする回動式電子部品。
【請求項２】
前記操作部材は、前記軸部及び前記押さえ部材に対して、スナップイン方式により嵌合されている
ことを特徴とする請求項１記載の回動式電子部品。
【発明の詳細な説明】
【技術分野】
【０００１】
本発明は、デジタルスチールカメラやデジタルビデオ等の電子機器において、例えば、ズームスイッチ等として使用される回動式電子部品に関する。
【背景技術】
【０００２】
従来、デジタルスチールカメラやデジタルビデオ等の電子機器においては、例えば、ズームスイッチ等として、特許文献１に記載されているように、回動式電子部品が使用されている。このような回動式電子部品は、図３及び図４に示すように、固定基台１０１と、この固定基台１０１に対して回動可能に支持される回動部材１０２とを有して構成される。固定基台１０１は、回路基板等に対して、いわゆるインモールド成形等によって、合成樹脂材料によって形成されている。回動部材１０２は、合成樹脂材料等によって略円柱状に形成されており、金属材料からなる軸部材１０３が取付けられている。この軸部材１０３は、回動部材１０２に対して、金属材料からなるワッシャ１０３ａによって固定されている。回動部材１０２は、軸部材１０３が固定基台１０１によって回転可能に支持されることにより、固定基台１０１に対して回動可能に支持される。
【０００３】
そして、回動部材１０２は、復帰バネ１０４により、回転角度位置を中立位置に保持される。この復帰バネ１０４は、金属材料からなる押さえ板１０４ａにより、回動部材１０２に対して保持されている。また、回動部材１０２には、導電性の摺動子（接点バネ）１０５が取付けられている。この摺動子１０５は、固定基台１０１に設けられた回路基板の回路パターンに接触する。
【０００４】
そして、回動部材１０２には、操作部材１０６が取付けられている。この操作部材１０６は、軸部材１０３回りに回動操作されることにより、摺動子１０２を回動させる。この操作部材１０６は、下部に設けられた嵌合孔に、回動部材１０２の上部に設けられた嵌合突起が圧入されることにより、この回動部材１０２に取付けられている。
【０００５】
この回動式電子部品においては、操作部材１０６に対して操作が行われず、外力が加わっていない状態においては、復帰バネ１０４の弾発力により、操作部材１０６が中立位置に保持される。そして、操作部材１０６に対する操作が行われ、外力が加わると、復帰バネ１０４の弾発力抗して、回動部材１０２が回動操作される。このとき、電子機器においては、操作部材１０６の一方向、または、他方向への回動に応じて、撮像レンズのズーミング等の種々の動作が実行される。
【０００６】
【特許文献１】特開平１０−２３２３４０号公報
【発明の開示】
【発明が解決しようとする課題】
【０００７】
ところで、前述した従来の回動式電子部品においては、回動部材１０２と軸部材１０３とが別部品として構成されていることなどにより、部品点数が多くなっており、また、組立てが煩雑である。
【０００８】
また、この回動式電子部品においては、操作部材１０６に対する操作時に、この操作部材１０６が回動部材１０２から外れ易いという問題がある。そして、一旦外れた操作部材１０６を再び回動部材１０２に取り付けた場合には、嵌合部の挿抜時圧入力が低下して再び外れ易くなるという問題もあり、耐久性や信頼性が十分に確保されない。
【０００９】
さらに、この回動式電子部品においては、金属材料からなる部品を多く使用しているため、これら金属部品を介して、電子機器の電子回路に静電気が流入し易い構造となっている。
【００１０】
そこで、本発明は、前述の実情に鑑みて提案されるものであって、部品点数が少なく組立てが容易であって、また、操作部材が確実に保持されて耐久性、信頼性が十分に確保され、さらに、電子機器の電子回路に対する静電気の流入を防止できる回動式電子部品を提供することを目的とする。
【課題を解決するための手段】
【００１１】
上記課題を解決するため、本発明は、以下の構成のいずれか一を有するものである。
【００１２】
〔構成１〕
本発明に係る回動式電子部品は、固定基台と、一端側に導電性の摺動子を有し他端側に一体的に形成された軸部を有し固定基台により軸部回りに回動可能に支持された回動部材と、軸部の外周側に配置され回動部材の回転角度位置を中立位置に保持する復帰バネと、回動部材の一端側に配置され摺動子に接触する回路パターンを有する回路基板と、回動部材の一端側に配置され回路基板を摺動子側に押圧して回路パターンを摺動子に押接させる押さえ部材と、軸部及び押さえ部材により支持され軸部回りに回動操作されることにより軸部を介して摺動子を回動させる操作部材とを備えたことを特徴とするものである。
【００１３】
〔構成２〕
本発明に係る回動式電子部品は、構成１を有する回動式電子部品において、操作部材は、軸部及び押さえ部材に対して、スナップイン方式により嵌合されていることを特徴とするものである。
【発明の効果】
【００１４】
本発明に係る回動式電子部品は、構成１を有することにより、部品点数を少なくすることができ、組立てを容易とすることができる。また、操作部材が確実に保持されて耐久性、信頼性が十分に確保される。さらに、金属材料からなる部品が少ないため、電子機器の電子回路に対する静電気の流入を防止することができる。
【００１５】
また、本発明に係る回動式電子部品は、構成２を有することにより、操作部材の取付けが容易でありながら、操作部材を確実に保持することができる。操作部材が外れた場合に再び取付けても、耐久性、信頼性が損なわれることがない。
【００１６】
すなわち、本発明は、部品点数が少なく組立てが容易であって、また、操作部材が確実に保持されて耐久性、信頼性が十分に確保され、さらに、電子機器の電子回路に対する静電気の流入を防止できる回動式電子部品を提供することができるものである。
【発明を実施するための最良の形態】
【００１７】
以下、本発明を実施するための最良の形態について図面を参照して説明する。
【００１８】
図１は、本発明に係る回動式電子部品の構成を示す斜視図である。
【００１９】
図２は、本発明に係る回動式電子部品の構成を示す断面図である。
【００２０】
この回動式電子部品は、図１及び図２に示すように、固定基台１と、この固定基台１に対して回動可能に支持される回動部材２とを有して構成される。固定基台１は、合成樹脂材料によって形成されており、デジタルスチールカメラやデジタルビデオ等の電子機器の回路基板等に対して取付けられる。
【００２１】
回動部材２は、合成樹脂材料等によって略円柱状に形成されており、一端側に導電性の摺動子（接点バネ）３を有し、他端側に一体的に形成された軸部４を有している。この回動部材２は、軸部４を含めて、射出成形等によって、一体的に形成されている。摺動子３は、回動部材２に対して、インサート成形によって設けることができる。
【００２２】
回動部材２は、軸部４が固定基台１によって回転可能に支持されることにより、固定基台１に対して回動可能に支持される。また、回動部材２は、復帰バネ５により、回転角度位置を中立位置に保持される。この復帰バネ５は、軸部４の外周側に配置されている。
【００２３】
そして、回動部材２の一端側には、摺動子３に接触する回路パターンを有する回路基板６が配置されている。この回路基板６の回路パターンは、電子機器側の電子回路に接続される。さらに、回動部材２の一端側には、回路基板６を摺動子３側に押圧して回路パターンを摺動子３に押接させる押さえ部材７が配置されている。
【００２４】
また、この回動式電子部品は、操作部材８を有している。この操作部材８は、軸部４の先端部及び押さえ部材７によって支持されている。この操作部材８は、軸部４回りに回動操作されることにより、軸部４を介して、摺動子２を回動させる。この操作部材８は、軸部４及び押さえ部材７に対して、スナップイン方式により嵌合されている。
【００２５】
すなわち、操作部材８は、合成樹脂材料により一体的に形成されており、両端側に一対の支持板部９，１０を有している。これら支持板部９，１０は、互いに平行に対向した状態に形成されており、それぞれの先端側に長円形（または、長方形）の長孔１１，１１を有している。そして、軸部４の先端部及び押さえ部材７には、長孔１１，１１に対応した長円形（または、長方形）の突起部１２，１２が形成されている。また、支持板部９，１０の先端側には、軸部４の先端部及び押さえ部材７に対向する側に、テーパ部９ａ，１０ａが形成されている。
【００２６】
この操作部材８を軸部４の先端部及び押さえ部材７に取付けるときには、支持板部９，１０の先端側のテーパ部９ａ，１０ａを軸部４及び押さえ部材７の突起部１２，１２に当接させた状態で、この操作部材８を固定基台１側に押し込む。すると、各テーパ部９ａ，１０ａが各突起部１２，１２に乗上げる状態となり、支持板部９，１０は、外方側に弾性的に変形される。そして、各長孔１１，１１が各突起部１２，１２に対応する位置に至ると、支持板部９，１０が弾性力によって初期状態に復帰し、各長孔１１，１１に各突起部１２，１２が嵌入される（これをスナップイン方式という）。
【００２７】
このようにして、各長孔１１，１１に各突起部１２，１２が嵌入することにより、各支持板部９，１０は、軸部４及び押さえ部材７に対して回動しない状態に支持される。また、各支持板部９，１０が外方側に変形しない限り、各長孔１１，１１から各突起部１２，１２が抜けることはない。また、操作部材８を軸部４の先端部及び押さえ部材７から取り外した後に、再び取り付けた場合にも、各長孔１１，１１と各突起部１２，１２との嵌合状態が変化することはなく、耐久性が劣化することはない。
【００２８】
この回動式電子部品においては、操作部材８に対して操作が行われず、外力が加わっていない状態においては、復帰バネ５の弾発力により、操作部材８が中立位置に保持される。そして、操作部材８に対する操作が行われ、外力が加わると、復帰バネ５の弾発力抗して、回動部材２が回動操作される。このとき、電子機器においては、操作部材２の一方向、または、他方向への回動に応じて、撮像レンズのズーミング等の種々の動作が実行される。
【００２９】
なお、この回動式電子部品は、デジタルスチールカメラやデジタルビデオに限らず、種々の電子機器において、種々の可変スイッチとして使用することができる。
【図面の簡単な説明】
【００３０】
【図１】本発明に係る回動式電子部品の構成を示す斜視図である。
【図２】本発明に係る回動式電子部品の構成を示す断面図である。
【図３】従来の回動式電子部品の構成を示す斜視図である。
【図４】従来の回動式電子部品の構成を示す断面図である。
【符号の説明】
【００３１】
１  固定基台
２  回動部材
３  摺動子（接点バネ）
４  軸部
５  復帰バネ
６  回路基板
７  押さえ部材
８  操作部材
【図１】
2007194439.tif 000003
【図２】
2007194439.tif 000004
【図３】
2007194439.tif 000005
【図４】
2007194439.tif 000006